(57)【要約】    【課題】  吸収性能や漏れ防止性能に優れており、股下部の幅を低減して装着性の向上を図ることのできる使い捨ておむつを提供すること。    【解決手段】  本体と一対の防漏壁６，６とを具備し、一対の防漏壁６は、それぞれ自由端６３及び固定端６４を有しており、両防漏壁６の固定端６４，６４同士間の間隔Ｗが、股下部Ａにおいて狭く、該股下部の前後に位置する腹側部Ｂ及び／又は背側部Ｃにおいて広くなっており、各防漏壁６における自由端６３の近傍には、該自由端６３に沿って弾性部材６１が配されており、両防漏壁６における弾性部材６１は、おむつを平面状に拡げた状態において、それぞれ直線状をなしている。【選択図】    図１
2006051269.tif 000002
【特許請求の範囲】
【請求項１】
液透過性の表面シート、液不透過性又は撥水性の裏面シート及び両シート間に介在された液保持性の吸収性コアを有する本体と、該本体の左右両側に、各々該本体の長手方向に延びるように設けられた一対の防漏壁とを具備する使い捨ておむつであって、
一対の前記防漏壁は、それぞれ、自由端及び固定端を有しており、
前記固定端同士間の間隔が、股下部において狭く、該股下部の前後に位置する腹側部及び／又は背側部において広くなるように形成されており、
前記各防漏壁における前記自由端の近傍には、該自由端に沿って弾性部材が配されており、前記両防漏壁における前記弾性部材は、おむつを平面状に拡げた状態において、それぞれ直線状をなしている使い捨ておむつ。
【請求項２】
前記固定端同士間の間隔が、前記股下部におけるよりも、前記腹側部及び前記背側部において広くなっている請求項１記載の使い捨ておむつ。
【請求項３】
前記吸収性コアの幅が、前記股下部において狭く、前記腹側部及び／又は前記背側部において広くなっており、
前記各防漏壁の前記固定端は、前記本体における、長手方向の略全域に亘って、前記吸収性コアの側縁よりもおむつ幅方向の外方に位置している請求項１又は２記載の使い捨ておむつ。
【請求項４】
背側部又は腹側部の両側に、それぞれウエストバンドが連設され、左右の該ウエストバンドの少なくとも何れか一方にバンド止着部が設けられ、腹側部又は背側部におむつ止着部が設けられている請求項１〜３の何れか記載の使い捨ておむつ。
【発明の詳細な説明】
【技術分野】
【０００１】
本発明は、使い捨ておむつに関する。
【背景技術】
【０００２】
従来、展開型の使い捨ておむつとして、液透過性の表面シート、液不透過性の裏面シート、及びこれら両シート間に介在する液保持性の吸収性コアを有し、背側部の両側縁部に設けたファスニングテープを、腹側部の外表面に設けたランディングテープに止着して着用するようになしてあるものが広く用いられている。
また、他の展開型の使い捨ておむつとして、背側部の両側縁部にそれぞれウエストバンドが連設され、左右の該ウエストバンドの少なくとも何れか一方における先端部にバンド止着部が設けられ、腹側部の両側部におむつ止着部が設けられており、前記バンド止着部により、左右の該ウエストバンドを着用者の腹側において止着し、前記おむつ止着部により、前記他方の部位を左右の前記ウエストバンドに止着して着用するようになしてあるもの（以下、ウエストバンドタイプのおむつともいう）が知られている（特許文献１，特許文献２参照）。
【０００３】
【特許文献１】特開平５−１８４６２３号公報
【特許文献２】特開平９−２９０００２号公報
【発明の開示】
【発明が解決しようとする課題】
【０００４】
しかし、従来の使い捨ておむつは、着用者の股間部においても充分な吸収性能を確保し脚周りからの漏れを防止すべく、股間部に配されるおむつ股下部の幅が比較的広く設計されている。そのため、両脚を左右に広めに拡げた状態では容易に装着できても、両脚をあまり拡げない状態では装着しにくいという問題がある。特にウエストバンドタイプのおむつは、立った状態でも装着可能であるが、立った状態では、ウエストバンドの止着後に腹側部を腹側に引き出すことが容易ではなく、装着が容易ではないという問題があった。
おむつの装着性を向上させるためには、着用者の股間部に配される股下部の幅を狭くすることが考えられるが、単に狭くした場合には、充分な吸収性能や漏れ防止性能を維持することが困難である。
【０００５】
従って、本発明の目的は、吸収性能や漏れ防止性能に優れており、良好な吸収性能や漏れ防止性能を維持しつつ、股下部の幅を低減して装着性の向上を図ることのできる使い捨ておむつを提供することにある。
【課題を解決するための手段】
【０００６】
本発明は、液透過性の表面シート、液不透過性又は撥水性の裏面シート及び両シート間に介在された液保持性の吸収性コアを有する本体と、該本体の左右両側に、各々該本体の長手方向に延びるように設けられた一対の防漏壁とを具備する使い捨ておむつであって、一対の前記防漏壁は、それぞれ、自由端及び固定端を有しており、前記固定端同士間の間隔が、股下部において狭く、該股下部の前後に位置する腹側部及び／又は背側部において広くなるように形成されており、前記各防漏壁における前記自由端の近傍には、該自由端に沿って弾性部材が配されており、前記両防漏壁における前記弾性部材は、おむつを平面状に拡げた状態において、それぞれ直線状をなしている使い捨ておむつを提供することにより、前記目的を達成したものである。
【発明の効果】
【０００７】
本発明の使い捨ておむつは、吸収性能や漏れ防止性能に優れており、良好な吸収性能や漏れ防止性能を維持しつつ、股下部の幅を低減して装着性の向上を図ることができる。
【発明を実施するための最良の形態】
【０００８】
以下、本発明をその好ましい実施形態に基づいて説明する。
本発明の一実施形態としての使い捨ておむつ（以下、おむつ１という）は、ウエストバンドタイプのおむつである。
おむつ１は、図１〜図３に示されるように、液透過性の表面シート２、液不透過性又は撥水性の裏面シート３、及びこれら両シート２，３間に介在された液保持性の吸収性コア４を有する本体５と、該本体５の表面シート２側における左右両側に、各々本体５の長手方向に延びるように設けられた一対の防漏壁６，６とを具備する。
【０００９】
おむつ１は、着用時に、着用者の股間部に配される股下部Ａ並びにその前後に位置する腹側部Ｂ及び背側部Ｃを有している。股下部Ａ、腹側部Ｂ及び背側部Ｃは、平面状に拡げた状態（各部の弾性部材を伸張させて平面状に拡げた状態，図１参照）のおむつを、その長手方向の全長を３等分するように３つの領域に区分したときの各領域である。
【００１０】
吸収性コア４は、縦長の形状を有しており、図１に示すように、長手方向中央部に所定の長さに亘る細幅部分を有し、該細幅部分の前後それぞれに細幅部分よりも幅の広い広幅部分を有している。表面シート２と裏面シート３とは、吸収性コア４の周縁部外方において互いに接合されており、両シート間に吸収性コア４が挟持固定されている。本体５の長手方向両端部に位置するウエスト部５１には、ウエスト部弾性部材５２が固定されて、おむつ幅方向に伸縮性が付与され、着用者に対するフィット性が高められている。
【００１１】
各防漏壁６は、図２（ａ）〜（ｃ）に示すように、弾性部材６１を有する防漏壁形成用のシート材６２を、本体５の両側部上に配設して形成されている。平面状に拡げた状態のおむつにおいて、各シート材６２は、吸収性コア４の側縁の内外に亘っている。各シート材６２は、接着剤６５等の公知の接合手段により、吸収性コア４の側縁よりも外方に延出した表面シート２上に固定されており、その固定により、防漏壁６の固定端６４が形成されている。
【００１２】
各シート材６２は、おむつ１（及び本体５）における、長手方向の全域において、固定端６４の位置よりもおむつ幅方向外方に位置する部分が、本体５の表面（表面シート２や裏面シート３等からなる表面）上に固定されている。
おむつ１における固定端６４は、おむつ幅方向において、各シート材６２と、本体５の表面（表面シート２や裏面シート３等からなる表面）とが接合されている部分と、接合されていない部分との境界部を形成している。
尚、各シート材６２は、おむつの長手方向の両端部６６においては、おむつ幅方向における、固定端６４の延長線の位置よりもおむつ長手方向中央線ＣＬ側に位置する部分も表面シート２上に固定されている。
【００１３】
各シート材６２のおむつ長手方向中央線ＣＬ側の端部は、自由端６３となっており、その近傍に、該自由端６３に沿って弾性部材６１が伸張状態で配されている。本おむつ１における弾性部材６１は、糸状（糸ゴム、平ゴム）又は帯状の形態を有し、自由端６３と平行に配されており、また、腹側部Ｂと背側部Ｃとの間に亘って形成されている。弾性部材６１は、少なくとも股下部Ａの一部に配されていることが好ましい。弾性部材６１は、シート材６２に伸長状態で固定されており、防漏壁６に起立性向を付与している。自然状態やおむつ着用状態においては、弾性部材６１の収縮により、防漏壁６にギャザーが形成されると共に、少なくとも股下部Ａの一部においては、自由端６３側が表面シート２上から離間する。
【００１４】
両防漏壁６における弾性部材６１は、おむつを平面状に拡げた状態（図１参照）において、それぞれ平面視形状が直線状をなしている。より具体的には、両弾性部材６１は、互いに略平行に配されており、それぞれ、おむつ長手方向中央線ＣＬとほぼ平行に配されている。
自由端６３も、弾性部材６１も同様に、おむつを平面状に拡げた状態（図１参照）において、それぞれ平面視形状が直線状をなしており、互いに平行に配されている。
弾性部材６１は、自由端６３からの距離が０〜１０ｍｍの領域、特に０〜５ｍｍの領域に固定されていることが、漏れ防止の観点から好ましい。また、自由端の端部に弾性部材６１を伸張させた状態で配置させることで使用時には防漏壁６を高く起立させることで、防漏性を向上させることができる。
【００１５】
図４に示すように、股下部からのもれを抑制するために、防漏壁６の自由端領域６３Ｒにおけるシート材６２を折り返し、接着剤等によりシート材６２同士を互いに接着させることにより、弾性部材６１よりも自由端６３寄りに袋状先端部を形成してもよい。これにより、股下部でのフィット性が向上してもれ難くなるとともに、そけい部へは袋状先端部を介して弾性部材６１を押し当てることができる。そして、袋状先端部が、弾性部材等による肌への物理刺激を緩和することができ、跡つきや擦れといった、皮膚への影響をより抑えることができる。更に、袋状先端部に、シート材６２同士の直線状、ドット状等の接合部６３ａを、間隔を空けて形成することで、袋状先端部の形状が維持され易くなり、防漏壁のフィット性や緩衝性を向上させることができる。
【００１６】
一対の防漏壁６は、図１及び図２に示すように、固定端６４，６４同士間の間隔Ｗが、股下部Ａにおいて狭く、該股下部Ａの前後に位置する腹側部Ｂ及び背側部Ｃにおいて広くなるように形成されている。即ち、股下部における固定端６４，６４同士間の間隔Ｗａに対して、腹側部Ｂ及び背側部Ｃそれぞれにおける固定端６４，６４同士間の間隔Ｗｂ，Ｗｃが相対的に広くなっている。
【００１７】
おむつ１における各固定端６４は、腹側部Ｂと背側部Ｃとの間に亘って線状に形成されており、股下部Ｂ、腹側部Ｂ及び背側部Ｃそれぞれに、おむつ長手方向中央線ＣＬと略平行な直線部分を有し、前記各直線部分間が、中央線ＣＬと非平行な直線部分ないし曲線部分を介して連結されている。
【００１８】
一対の防漏壁６の固定端６４，６４同士間の間隔（以下、固定端間隔という）Ｗは、股下部Ａの固定端間隔Ｗａに対する、腹側部Ｂの固定端間隔Ｗｂの比（Ｗｂ／Ｗａ）が幼児用おむつの場合、１．２〜５、特に１．５〜３であることが装着性と吸収性能の確保の点から好ましい。
また、股下部Ａの固定端間隔Ｗａに対する、背側部Ｃの固定端間隔Ｗｃの比（Ｗｃ／Ｗａ）がベビー用の場合、１．２〜５、特に１．５〜３であることが装着性と吸収性能の確保の点から好ましい。
尚、腹側部Ｂの固定端間隔Ｗｂと背側部Ｃの固定端間隔Ｗｃは必ずしも一致しなくても良い。
【００１９】
本発明における各固定端は、必ずしも、本おむつ１の固定端６４のように、股下部Ａ、腹側部Ｂ及び背側部Ｃそれぞれに、おむつ長手方向中央線ＣＬと略平行な直線部分を有する必要はなく、前記股下部Ａにおいて最も狭く、腹側部Ｂ及び背側部Ｃで広くなるように、曲線で形成されていても良い（図７参照）。
【００２０】
ここでいう、固定端間隔Ｗａ，Ｗｂ及びＷｃは、股下部Ａにおいては、固定端間隔Ｗが最小となる部位の値とし、腹側部Ｂ及び背側部Ｃそれぞれにおいては、固定端間隔Ｗが最大となる部位の値である。
【００２１】
本おむつ１は、上述したように、ウエストバンドタイプのおむつであり、背側部Ｃにおける本体５の左右両側縁９，９には、それぞれウエストバンド１０，１０が連設されており、左右のウエストバンド１０，１０の一方における先端部には、バンド止着部１１が設けられている。また、腹側部Ｂにおける表面シート２側の面の両側部には、おむつ止着部２０，２０が設けられている。
【００２２】
本おむつ１は、従来のウエストバンドタイプのおむつと同様にして着用することができる。即ち、図３に示すように、着用者３０の背中側に背側部Ｃを当接させ、両ウエストバンド１０，１０を着用者３０の腹側に持ってくる。そして、両ウエストバンドを、一方を他方に重ねてバンド止着部１１を介して連結する。
次いで、腹側部Ｂを、股間部を通して腹側に引き出し、股下部Ａを着用者３０の股間部に入り込ませようにして、更に引っ張り上げる。最後に、おむつ止着部２０，２０を、ウエストバンド１０，１０上に係合止着する。尚、おむつ１は、着用者３０の腹側に背側部Ｃを当接させ、両ウエストバンド１０を着用者３０の背側において止着して装着することもできる。
【００２３】
おむつ１におけるウエストバンド１０は、その基端１２近傍に伸縮性シートを用いて形成された弾性伸縮部１４を有している。また、股下部Ａにおける、防漏壁の固定端６４の位置よりも更に外側には、レッグ部弾性部材７１が配されてレッグギャザーが形成されている。
【００２４】
本実施形態のおむつ１によれば、腹側部Ｂ及び背側部Ｃそれぞれにおける固定端間隔Ｗｂ、Ｗｃが、股下部Ａにおける固定端間隔Ｗａよりも大きく、しかも自由端６３及びその近傍の弾性部材５１が、略直線状に配されているため、優れた吸収性能や漏れ防止性能が得られる。即ち、股下部Ａにおいては、液吸収可能な領域の幅（親水幅）を確保することができる一方、腹側部Ｂあるいは背側部Ｃにおいては、防漏壁の高さを高くすることができ、吸収スペースを確保することが可能である。
もれ防止性能の維持のためには、股間部に配される股下部Ａにおいても防漏壁の高さを確保する必要があるが、特に装着性を向上するために股下部Ａの幅を比較的狭くした場合には、着用中に、防漏壁が製品中央部に向かって倒れこむと、股下部Ａにおける表面シートの広い範囲、場合によっては表面シートの全体が覆われてしまい吸液可能な領域の面積が減少して吸収が阻害されてしまう。このため、股下部Ａにおいては、防漏壁の高さが制限される。
また、装着性を向上するために股間部において、吸収体の幅が狭くなり吸収容量が減少してしまうのを、腹側あるいは背側に液を拡散させることにより、吸収容量を補う必要があり、腹側あるいは背側における吸収体の幅を広げることで、吸収体全体の容量を確保する。防漏壁の固定端は吸収体の周縁部より外側に位置することが、吸収体に吸収された液及び吸収体表面を伝液のもれ防止の点から好ましい。「股間部の吸収体幅」と「防漏壁の高さ」との関係は、股間部においては、望ましくは防漏壁が吸収体を覆わないように防漏壁の高さを設計する。
【００２５】
このような効果は、股下部の幅を狭くして、装着性の向上を図る場合に特に有利である。おむつ１によれば、良好な吸収性能や漏れ防止性能を維持しつつ、股下部の幅を低減して装着性の向上を図ることができる。
【００２６】
幼児用おむつの場合、股下部Ａの最小幅Ｗ２〔図２（ａ）参照〕は、最小幅Ｗ２を１００ｍｍ以上とすることにより、充分な吸収性能や漏れ防止性能を確保できると共に、最小幅Ｗ２を２５０ｍｍ以下とすることにより、おむつの装着性、特に幼児を立たせて装着する場合、幼児の両足の間からおむつ前身ごろを引き出す際の引き出し性が向上、あるいはまた、寝かせて当てた場合、そけい部から前身ごろをお腹側に持ち上げる際にスムーズに持ち上げることができ、装着性が格段に向上する。また、最小幅Ｗ２は、１００〜２５０ｍｍが好ましく、更に１５０〜２００ｍｍであることがより好ましい。
成人用おむつの場合には、同様の理由から、股下部Ａの最小幅Ｗ２が１５０〜３００ｍｍ、特に２００〜２５０ｍｍであることが好ましい。
【００２７】
本発明においては、図５に示すように、腹側部Ｂ及び背側部Ｃの何れか一方のみにおいて、固定端間隔が、股下部Ａにおけるよりも広くなっていても良い。
【００２８】
腹側部Ｂのみにおいて固定端間隔を広くした形態は、特におむつ１が高月齢の乳幼児用のおむつである場合に重要であり、腹側部Ｂの固定端間隔のみを広くしても、ハイハイや座る体勢でいることが多くなり、主に前側部に排泄が行われるため、充分な吸収性能や漏れ防止性能を確保できる。
【００２９】
背側部Ｃのみにおいて固定間距離を広くした形態は、特におむつ１が低月齢の乳児用のおむつである場合に重要であり、背側部Ｃの固定端間隔のみを広くしても、仰向けの体勢でいることが多く、主に背側部に排泄が行われるため、充分な吸収性能や漏れ防止性能を確保できる。
【００３０】
ただし、製品を長手方向連続で製造する際には、腹側端部における固定端間隔Ｗｂと背側端部における固定端間隔Ｗｃは同じ寸法とすることが望ましい。
【００３１】
本おむつ１においては、吸収性コア４の幅が、固定端間隔が狭い股下部Ａにおいて狭く、固定端距離が相対的に広い腹側部Ｂ及び背側部Ｃにおいて広くなっており、両防漏壁６それぞれの前記固定端６４が、図１及び図２に示すように、本体５における、長手方向の略全域に亘って、吸収性コア４の側縁よりもおむつ幅方向の外方に位置している。
このため、吸収体に吸収された液が、固定端の下を超えて防漏壁の外側に沁みだすことがない。
【００３２】
尚、おむつ１において、防漏壁６は、股下部Ａにおけるその幅Ｗ３（防漏壁表面に沿って測定した幅，図２（ａ）参照）が、１５〜４０ｍｍであることが好ましい。ここでいう、防漏壁６の幅Ｗ３は、股下部Ａにおける防漏壁６の幅の最小幅である。
【００３３】
上述したおむつ１における各部の形成材料について説明する。
表面シート２、裏面シート３、吸収性コア４、防漏壁形成用のシート材６２等の形成材料としては、使い捨ておむつに従来用いられている各種の材料等を特に制限なく用いることができる。
【００３４】
例えば、吸収体４としては、繊維集合体からなるものや、繊維集合体及び高吸水性ポリマーからなるもの等が用いられる。繊維集合体の形態としては、各種製法による不織布や繊維ウエブが挙げられる。
防漏壁形成用のシート材６２としては、撥水性の不織布、樹脂フィルム、不織布と樹脂フィルムの積層シート等が用いられ、排泄物に対する防漏性と柔軟性、ホットメルトや超音波、熱による接着性、強度等の点から、スパンボンド、スパンボンド−メルトブローン−スパンボンド、スパンボンド−メルトブローン−メルトブローン−スパンボンド、エアスルー不織布が好ましく用いられる。
【００３５】
防漏壁に配する弾性部材６１、レッグ部弾性部材７１、及びウエスト部弾性部材５２としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
液不透過性の裏面シートとしては、樹脂フィルム製シートや樹脂フィルムと不織布等とのラミネートシート等を挙げることができ、撥水性の裏面シートとしては、撥水性不織布等を挙げることができる。裏面シートには、液不透過性且つ撥水性のシートを用いることもできる。
【００３６】
ウエストバンドの弾性伸縮部１４を形成する伸縮性シートやウエストバンドのその他の部分を形成するシートとしては、ウエストバンドタイプのおむつや他のおむつにおいて用いられている各種公知のシート材を用いることができる。また、バンド止着部１１及びおむつ止着部２０，２０は、従来のウエストバンドタイプのおむつにおけるのと同様の止着部材を用いて形成することができ、例えば、表面に多数の錨形や鉤形のオス型係合部材が配された機械的面ファスナーのオス部材（例えば「マジックテープ（登録商標）」クラレ社製）により形成することができる。
【００３７】
図６（ａ）及び図６（ｂ）は、それぞれ、本発明の他の実施形態としての使い捨ておむつを示す図である。図６（ａ）と図６（ｂ）に示すおむつについては、上述したおむつ１と異なる点についてのみ説明し、同様の点については同一の符号を付して説明を省略する。特に説明しない点は、上述したおむつ１についての説明が適宜適用される。
図６（ａ）に示すおむつにおいては、弾性部材６１を有する防漏壁形成用のシート材６２が、本体５の非肌当接面側の面（より具体的には、裏面シート３からなる面）に固定されて固定端６４が形成されている。
また、図６（ｂ）に示すおむつにおいては、ウエストバンド１０は、弾性部材６１を有する防漏壁形成用のシート材６２と、液不透過性又は撥水性の裏面シート３の間に挟まれて固定されている。特に、ウエストバンド１０を固定する部位と各防漏壁６の固定端６４との間において、該シート材６２と該裏面シート３とを直接固定することで防漏性を向上させることができる。
これらの実施形態のおむつにおいても、固定端６４間の距離Ｗが、股下部において狭く、腹側部及び背側部において広くなるように形成されており、上述したおむつ１と同様の効果が奏される。
【００３８】
本発明の使い捨ておむつは、上述した実施形態に制限されず、本発明の趣旨を逸脱しない範囲で種々変更が可能である。
例えば、各防漏壁６の固定端６４の平面視形状は、その長手方向の全長に亘って曲線状のものであっても良いし〔図７（ａ）及び（ｂ）参照〕、曲線部分と直線部分とを有するものであっても良い。また、角度を異ならせて連結した複数の直線部分からなるものであっても良い。図７（ａ）のものは、股下部Ａにおいて固定端間隔が狭くなるように円弧状に湾曲させたものである。図７（ｂ）のものは、股下部Ａにおいては、図７（ａ）のものと同様に、幅方向外方に向かって凹状に湾曲しているが、腹側部Ｂ及び背側部Ｃにおいては、湾曲の向きが逆になっている。
【００３９】
また、各防漏壁６の固定端６４は、シート材６２を接着剤で表面シート等に接合されて形成されたものに代えて、シート材６２を、ヒートシール、超音波シール、高周波シール等の接着剤以外の他の接合手段により、本体５の表面（表面シート２や裏面シート３等からなる表面）に接合して形成したものであっても良い。防漏壁６に伸縮性を付与する弾性部材６１は、各防漏壁６に複数本配されていても良い。また、レッグ部弾性部材７１，ウエスト部弾性部材５２，弾性伸縮部１４等は省略することもできる。
【００４０】
本発明の使い捨ておむつは、ウエストバンドタイプのおむつに特に適しているが、背側部の両側縁部に設けたファスニングテープを、腹側部の外表面に設けたランディングテープに止着して着用するタイプの展開型おむつや、腹側部の両側縁部と背側部の両側縁部とを接合して予めパンツ型（ウエスト開口部及び一対のレッグ開口部を有する形態）に形成してなるパンツ型のおむつであっても良い。
パンツ型おむつにおいては、サイドシール部を引き裂いて（サイドシール部がない場合は着用者の左右側部に位置する側部を切断して）、おむつを平面状に拡げた状態において、防漏壁の自由端が略直線状をなしていれば良い。
【００４１】
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００４２】
【図１】図１は、本発明の一実施形態としての使い捨ておむつを、各部の弾性部材を伸張させて平面状に拡げた状態を一部破断して示す平面図である。
【図２】図２は、図１の使い捨ておむつの幅方向の断面を示す模式断面図であり、図２（ａ）は、股下部における断面（図１のII−II線断面）、図２（ｂ）は、腹側部における断面（図１のIII−III線断面）、図２（ｃ）は、背側部における断面（図１のIV−IV線断面）を示す図である。
【図３】図３は、図１の使い捨ておむつを装着する様子を示す図である。
【図４】図４は、本発明の他の実施形態としての使い捨ておむつの要部を示す図で、図４（ａ）は、自由端領域に、袋状先端部を形成した防漏壁を示す図で、図４（ｂ）は、その防漏壁を、図４（ａ）の矢印Ｐ方向から見た状態を示す図である。
【図５】図５は、本発明の他の実施形態としての使い捨ておむつを示す図で、図５（ａ）は、防漏壁の固定端間隔を、股下部よりも腹側部において広くしたもの、図５（ｂ）は、防漏壁の固定端間隔を、股下部よりも背側部において広くしたものを示す図である。
【図６】図６は、本発明の更に他の実施形態としての使い捨ておむつを示す図で、図２（ｃ）に相当する図である。
【図７】図７は、本発明の更に他の実施形態としての使い捨ておむつを示す図で、図７（ａ）及び図７（ｂ）は、それぞれ、防漏壁の固定端が曲線状のものを示す図である。
【符号の説明】
【００４３】
１  使い捨ておむつ
２  表面シート
３  裏面シート
４  吸収体
６    防漏壁
６１  防漏壁の自由端近傍に配された弾性部材
６３  自由端
６４  固定端
Ａ  股下部
Ｂ  腹側部
Ｃ  背側部
【図１】
2006051269.tif 000003
【図２】
2006051269.tif 000004
【図３】
2006051269.tif 000005
【図４】
2006051269.tif 000006
【図５】
2006051269.tif 000007
【図６】
2006051269.tif 000008
【図７】
2006051269.tif 000009